(57)【要約】【課題】  ＩＰベースの音声通信と従来のＰＯＴＳ音声通信との間で変換する低コストゲートウェイを提供する。【解決手段】  この方法は、ＩＰベースのネットワークを介してＩＰベースの電話呼を通信するように構成されたＩＰベースの装置と、およびＩＰベースのネットワークを介してＩＰベースの装置と通信し、ＰＯＴＳ電話回線と通信するコンピュータとを提供する。この方法は、コンピュータでＰＯＴＳ電話着呼を受信したことに応答して、ＩＰベースのネットワークを介してＰＯＴＳ電話着呼をＩＰベースの装置に選択的に転送し、コンピュータでＩＰベースの電話呼を受信し、ＩＰベースの電話呼をＰＯＴＳ電話発呼に変換し、ＩＰベースの装置からのＩＰベースの電話呼の開始に応答して、ＰＯＴＳ電話回線を通してＰＯＴＳ電話発呼をルーティングする。【選択図】図４
2004260802.tif 000002
【特許請求の範囲】
【請求項１】
ＩＰベースのローカルエリアネットワーク（ＬＡＮ）に接続されたインターネットプロトコル（ＩＰ）ベースの装置（４０２、４０２Ａ）で普通の従来の電話システム（ＰＯＴＳ）からの電話呼を受信する方法（１００）であって、
前記ＰＯＴＳ電話着呼を受信すること（１０２）と、
ＩＰベースの通信を使用して、前記ＩＰベースのＬＡＮを介して前記ＰＯＴＳ電話着呼を前記ＩＰベースの装置（４０２、４０２Ａ）に選択的に転送すること（１０４）と
を含むＩＰベースの装置で普通の従来の電話システム（ＰＯＴＳ）電話を受信する方法。
【請求項２】
ローカルエリアネットワーク（ＬＡＮ）でのインターネットプロトコル（ＩＰ）ベースの装置（４０２、４０２Ａ）から普通の従来の電話システム（ＰＯＴＳ）回線（４０８）に電話呼を発信する方法（２００）であって、
ＬＡＮと通信するＩＰベースの装置（４０２、４０２Ａ）からＩＰベースの電話呼を開始すること（２０２）と、
前記ＬＡＮ上のコンピュータ（４０６）で前記ＩＰベースの電話呼を受信すること（２０４）と、
前記ＩＰベースの電話呼をＰＯＴＳ電話呼に変換すること（２０６）と、
ＰＯＴＳ回線（４０８）を介して前記ＰＯＴＳ電話呼をルーティングすること（２０８）と
を含むインターネットプロトコル（ＩＰ）ベースの装置から普通の従来の電話システム（ＰＯＴＳ）回線に電話呼を発信する方法。
【請求項３】
ＩＰベースのネットワーク（４０４）を介してＩＰベースの電話呼を発受信する方法（３００）であって、
ＩＰベースのネットワーク（４０４）を介してＩＰベースの電話呼を通信するように構成されたＩＰベースの装置（４０２、４０２Ａ）を提供すること（３０２）と、
前記ＩＰベースのネットワーク（４０４）を介して前記ＩＰベースの装置（４０２、４０２Ａ）と通信するように動作可能であり、普通の従来の電話システム（ＰＯＴＳ）電話回線（４０８）と通信するコンピュータ（４０６）を提供すること（３０４）と、
前記コンピュータ（４０６）においてＰＯＴＳ電話着呼を受信したことに応答して、前記ＩＰベースのネットワーク（４０４）を介して前記ＰＯＴＳ電話着呼を前記ＩＰベースの装置（４０２、４０２Ａ）に選択的に転送すること（３０６）と、
前記ＩＰベースの装置（４０２、４０２Ａ）からのＩＰベースの電話呼の開始に応答して、前記コンピュータ（４０６）において前記ＩＰベースの電話呼を受信すること（３０８）、前記ＩＰベースの電話呼をＰＯＴＳ電話発呼に変換すること、および前記ＰＯＴＳ電話回線（４０８）を通して前記ＰＯＴＳ電話発呼をルーティングすることと
を含むＩＰベースの電話呼を発受信する方法。
【請求項４】
ＩＰベースのネットワークを介してＩＰベースの電話を発受信する方法（３００）であって、
前記ＩＰベースのネットワーク（４０４）を介してＩＰベースの電話呼を通信することは、
ＶｏＩＰ（Ｖｏｉｃｅ  ｏｖｅｒ  Ｉｎｔｅｒｎｅｔ  Ｐｒｏｔｏｃｏｌ）通信、Ｈ．３２３に準拠する通信、ＳＩＰ（Ｓｅｓｓｉｏｎ  Ｉｎｉｔｉａｔｉｏｎ  Ｐｒｏｔｏｃｏｌ）、
ＭＧＣＰ（Ｍｅｄｉａ  Ｇａｔｅｗａｙ  Ｃｏｎｔｒｏｌ  Ｐｒｏｔｏｃｏｌ）、ＳＧＣＰ（Ｓｉｍｐｌｅ  Ｇａｔｅｗａｙ  Ｃｏｎｔｒｏｌ  Ｐｒｏｔｏｃｏｌ）、
ＩＰＤＣ（Ｉｎｔｅｒｎｅｔ  Ｐｒｏｔｏｃｏｌ  Ｄｅｖｉｃｅ  Ｃｏｎｔｒｏｌ）、ＲＴＰ（Ｒｅａｌｔｉｍｅ  Ｔｒａｎｓｐｏｒｔ  Ｐｒｏｔｏｃｏｌ）、または
パケット化された「．ｗａｖ」ファイル
のうちの少なくとも１つを含む
請求項３記載のＩＰベースの電話を発受信する方法。
【請求項５】
ＩＰベースのネットワークを介してＩＰベースの電話を発受信する方法（３００）であって、
前記選択的に転送すること（３０６）は、
予め選択された回数のベル分、前記ＰＯＴＳ電話着呼への応答を待つことと、
前記予め選択された回数のベルの後でも前記ＰＯＴＳ電話着呼への応答がないままである場合、前記ＩＰベースのネットワーク（４０４）を介して前記ＰＯＴＳ電話着呼を、前記ＩＰベースの装置（４０２、４０２Ａ）に対応する予め選択されたＩＰアドレスにＩＰベースの電話呼としてルーティングすることと
を含む
請求項３記載のＩＰベースの電話を発受信する方法。
【請求項６】
ＩＰベースのネットワークを介してＩＰベースの電話を発受信する方法（３００）であって、
前記ＩＰベースの装置（４０２、４０２Ａ）が、第２の予め選択された回数のベルの後でも前記ＩＰベースの電話呼に応答しない場合、
メッセージを録音するというプロンプトを提供することと、
発信者が望む場合は前記メッセージを録音することと
をさらに含む
請求項５記載のＩＰベースの電話を発受信する方法。
【請求項７】
ＩＰベースのネットワークを介してＩＰベースの電話を発受信する方法（３００）であって、
前記選択的に転送すること（３０６）は、
前記ＰＯＴＳ電話着呼を、前記ＩＰベースの装置（４０２、４０２Ａ）に対応する予め選択されたＩＰアドレスに転送するか、あるいはメッセージを録音するという選択肢を有する音声メニューを発信者に提供すること
を含む
請求項３記載のＩＰベースの電話を発受信する方法。
【請求項８】
ＩＰベースのネットワーク（４０４）を介してＩＰベースの電話呼を発受信するシステム（４００）であって、
ＩＰベースのネットワーク（４０４）を介してＩＰベースの通信を行うように構成されたＩＰベースの装置（４０２、４０２Ａ）と、
普通の従来の電話システム（ＰＯＴＳ）回線（４０８）と通信するように構成されるとともに、前記ＩＰベースのネットワーク（４０４）を介して前記ＩＰベースの装置（４０２、４０２Ａ）とＩＰベースの通信を行うように構成されたコンピュータ（４０６）と
を備え、
前記ＩＰベースの装置（４０２、４０２Ａ）は、
前記コンピュータ（４０６）および前記ＰＯＴＳ回線（４０８）を使用してＩＰベースの電話呼を送受信するよう
にさらに構成される
ＩＰベースの電話呼を発受信するシステム。
【請求項９】
ＩＰベースのネットワーク（４０４）を介してＩＰベースの電話呼を発受信するシステム（４００）であって、
前記コンピュータ（４０６）は、
予め選択された回数のベル分、ユーザがＰＯＴＳ着呼に応答するのを待ち、
前記予め選択された回数のベルの後でも前記ＰＯＴＳ着呼に応答がないままである場合、前記ＩＰベースのネットワーク（４０４）を介して、予め選択されたＩＰアドレスを有する前記ＩＰベースの装置（４０２、４０２Ａ）に前記ＰＯＴＳ着呼を選択的に転送するよう
にさらに構成される
請求項８記載のＩＰベースの電話呼を発受信するシステム。
【請求項１０】
ＩＰベースのネットワークを介してＩＰベースの電話呼を発受信する方法を実行するためのコンピュータ実行可能命令（５０２）を有するコンピュータ可読媒体（５００）であって、前記方法は、
ＩＰベースのネットワーク（４０４）を介してＩＰベースの電話呼を通信するように構成されたＩＰベースの装置（４０２、４０２Ａ）を提供すること（３０２）と、
前記ＩＰベースのネットワーク（４０４）を介して前記ＩＰベースの装置（４０２、４０２Ａ）と通信するように動作可能であり、普通の従来の電話システム（ＰＯＴＳ）電話回線（４０８）に接続された電話機（４１０）と通信するコンピュータ（４０６）を提供すること（３０４）と、
前記コンピュータ（４０６）においてＰＯＴＳ電話着呼を受信したことに応答して、前記ＩＰベースのネットワーク（４０４）を介して前記ＰＯＴＳ電話着呼を前記ＩＰベースの装置（４０２、４０２Ａ）に選択的に転送すること（３０６）と、
前記ＩＰベースの装置（４０２、４０２Ａ）からのＩＰベースの電話呼の開始に応答して、前記コンピュータ（４０６）において前記ＩＰベースの電話呼を受信すること（３０８）、前記ＩＰベースの電話呼をＰＯＴＳ電話発呼に変換すること、および前記ＰＯＴＳ電話回線（４０８）を通して前記ＰＯＴＳ電話発呼をルーティングすることと
を含む
コンピュータ可読媒体。
【発明の詳細な説明】
【技術分野】
【０００１】
本発明は、包括的にインターネットプロトコルベース（ＩＰベース）のネットワークを介しての音声通信に関する。
特に、本発明は、ＩＰベースのネットワークを介して普通の従来の電話システム（ＰＯＴＳ）呼およびＩＰベースの電話呼を発受信することに関する。
【背景技術】
【０００２】
ＶｏＩＰ（Ｖｏｉｃｅ  ｏｖｅｒ  Ｉｎｔｅｒｎｅｔ  Ｐｒｏｔｏｃｏｌ）技術は、従来の電話システムに対して音声通信する代替の潜在的に安上がりの手段を提供する。
ＰＯＴＳ（アナログ伝送）または公衆交換電話網（ＰＳＴＮ）（デジタル伝送）を利用する従来の電話システムでは、電話呼中のハードワイヤまたは光ファイバの切り換えを含むエンドツーエンド接続が必要とされる。
これとは対照的に、ＶｏＩＰ技術では、公衆インターネット等、ＩＰベースのデータネットワークを介して音声パケットを伝送することができる。
ＩＰベースのネットワークでは、パケットが宛先で組み立てられる前に複数のパスをとることが可能である。
【０００３】
公衆インターネットを介してのデータ伝送のコストは通常、固定の月額料金であり、伝送されるデータ量に依存しない。
さらに、公衆インターネットは広域な地理的広がりを持つ。
ＶｏＩＰ通信システム開発の当初の動機は、長距離電話をかける代替の安上がりな手段を提供することであった。
しかし、ＶｏＩＰは今では、単一ネットワークでのデータおよび音声伝送を統合することによって汎用通信網として開発されている。
【０００４】
従来のＶｏＩＰシステムは、公衆インターネット等ＩＰベースのネットワークを介して音声パケットを伝送するとともに、従来のＰＳＴＮ伝送とＶｏＩＰ伝送との間の変換を行う、ＩＰベースのネットワークを介して互いに通信する一対のＶｏＩＰゲートウェイを含むことができる。
このようなＶｏＩＰゲートウェイは通常、冷蔵庫サイズのラックの電子機器であり、非常に高価である。
より単純な従来のＶｏＩＰシステムは、ＩＰベースのローカルエリアネットワーク（ＬＡＮ）、私設インターネット、または公衆インターネットと通信する１組のコンピュータ上の専用のハードウェアまたはソフトウェアを含む場合がある。
このようなより単純の従来のＶｏＩＰシステムは、呼の転送、音声メッセージング、ならびにＰＯＴＳおよびＰＳＴＮ等、従来の電話網に対して呼を発受信する能力を提供しない場合がある。
【０００５】
しかし、従来のＶｏＩＰシステムは、ユーザが、ＬＡＮ上のワークステーションで受信したＰＯＴＳ電話呼を、ワークステーションから離れた場所にあるＬＡＮ上のＩＰベースの装置に選択的かつ自動的に転送することができる方法およびシステムを提供しないように見える。
【発明の開示】
【発明が解決しようとする課題】
【０００６】
逆に、ワークステーションから離れたＬＡＮ上のＩＰベースの装置を有するユーザが、ＩＰベースの装置からワークステーションを通り、ＰＯＴＳ回線に出てサイト外の宛先電話番号にＩＰベースで電話をかけることができる方法およびシステムが望ましい。
このような方法およびシステムは、ＩＰベースの音声通信と従来のＰＯＴＳ音声通信との間で変換する「低コストゲートウェイ」を提供する。
【課題を解決するための手段】
【０００７】
本発明は、ＩＰベースの電話呼を発信・転送する方法およびシステムを含む。
この方法は、ＩＰベースのネットワークを介してＩＰベースの電話呼を通信するように構成されたＩＰベースの装置を提供すること、およびＩＰベースのネットワークを介してＩＰベースの装置と通信するように動作可能であり、ＰＯＴＳ電話回線と通信するコンピュータを提供すること、を含むことができる。
この方法は、コンピュータでＰＯＴＳ電話着呼を受信したことに応答して、ＩＰベースのネットワークを介してＰＯＴＳ電話着呼をＩＰベースの装置に選択的に転送すること、コンピュータでＩＰベースの電話呼を受信すること、ＩＰベースの電話呼をＰＯＴＳ電話発呼に変換すること、およびＩＰベースの装置からのＩＰベースの電話呼の開始に応答して、ＰＯＴＳ電話回線を通してＰＯＴＳ電話発呼をルーティングすることも含むことができる。
【０００８】
本発明のさらなる特徴および利点は、例として本発明の特徴をともに示す添付図面と併せて行われる詳細な説明から明らかになろう。
【０００９】
以下の図面は、本発明を実行する例示的な実施形態を示す。
同様の参照番号は異なる図面または図面の実施形態における同様の部分を指す。
【発明を実施するための最良の形態】
【００１０】
本発明は、ＩＰベースの電話呼を発信・転送する方法を含む。
本発明は、本発明の方法を組み込むシステムおよびコンピュータ媒体も含む。
これより、図面に示される例示的な実施形態を参照し、これを説明するために特定の言葉が本明細書において使用される。
しかし、それによって本発明の範囲の制限が意図されないことを理解されたい。
本開示を入手した関連分野における熟練者が思い付く、本明細書に示される本発明の代替およびさらなる変更、ならびに本明細書に示す本発明の原理のさらなる適用は、本発明の範囲内にあるものと考えられる。
【００１１】
図１は、本発明によるＩＰベースのＬＡＮに接続されたＩＰベースの装置でＰＯＴＳ電話呼を受信する方法１００のフローチャートである。
方法１００は、ＰＯＴＳ電話着呼を受信すること（１０２）、およびＩＰベースの通信を使用してＩＰベースのＬＡＮを介してＰＯＴＳ電話着呼をＩＰベースの装置に選択的に転送すること（１０４）を含むことができる。
方法１００と整合性のあるＩＰベースの通信は、ＶｏＩＰ通信、Ｈ．３２３に準拠する通信、ＳＩＰ（Ｓｅｓｓｉｏｎ  Ｉｎｉｔｉａｔｉｏｎ  Ｐｒｏｔｏｃｏｌ）、ＭＧＣＰ（Ｍｅｄｉａ  Ｇａｔｅｗａｙ  Ｃｏｎｔｒｏｌ  Ｐｒｏｔｏｃｏｌ）、ＳＧＣＰ（Ｓｉｍｐｌｅ  Ｇａｔｅｗａｙ  Ｃｏｎｔｒｏｌ  Ｐｒｏｔｏｃｏｌ）、ＩＰＤＣ（Ｉｎｔｅｒｎｅｔ  Ｐｒｏｔｏｃｏｌ  Ｄｅｖｉｃｅ  Ｃｏｎｔｒｏｌ）、ＲＴＰ（Ｒｅａｌｔｉｍｅ  Ｔｒａｎｓｐｏｒｔ  Ｐｒｏｔｏｃｏｌ）等のＩＰベースのプロトコル、パケット化された「．ｗａｖ」ファイル、または他の任意のＩＰベースの音声パケット通信を含むことができる。
このような通信規格およびプロトコルは当業者の知るところであるため、本明細書ではこれ以上詳細に説明しない。
【００１２】
選択的に転送すること（１０４）は、予め選択された回数のベル分、ＰＯＴＳ電話着呼への応答を待つことをさらに含むことができる。
この特徴は、本発明により電話呼を転送する前に、電話受話器、または電話呼を受信し応答するように構成されたコンピュータでＰＯＴＳ呼に応答する時間をユーザに与える。
選択的に転送すること（１０４）は、予め選択された回数のベルの後でもＰＯＴＳ電話着呼に応答がないままである場合、ＩＰベースのＬＡＮを介してＰＯＴＳ電話着呼を、ＩＰベースの装置に対応する予め選択されたＩＰアドレスにＩＰベースの電話呼としてルーティングすることをさらに含むこともできる。
【００１３】
別の実施形態では、選択的に転送すること（１０４）は、ＰＯＴＳ電話着呼を、ＩＰベースの装置に対応する予め選択されたＩＰアドレスに転送するか、あるいは転送することによって呼を完了しようとせずに単にメッセージを録音する音声メニューを発信者に提供することをさらに含むこともできる。
選択的に転送すること（１０４）のこの実施形態は、ＰＯＴＳ電話着呼の処理における柔軟性を発信者に与える。
さらに別の実施形態では、選択的に転送すること（１０４）は、ＰＯＴＳ電話着呼を予め選択されたＩＰアドレスに選択的に転送すること、または発信者の識別情報（発信者ＩＤ）に基づいてメッセージを録音するという音声プロンプトを発信者に提供することをさらに含むことができる。
選択的に転送すること（１０４）のこの実施形態では、受信者が、発信者が誰であるか（発信者ＩＤ）に基づいてＰＯＴＳ着呼の処理の仕方を予め選択することができる。
【００１４】
選択的に転送すること（１０４）は、第２の予め選択された回数のベルの後でもＩＰベースの装置がＩＰベースの電話呼に応答しない場合、メッセージを録音するという音声プロンプトを発信者に提供することをさらに含むことができる。
この特徴は、呼の意図される受信者が、呼をＩＰベースの装置に転送した後であっても応答できない場合にメッセージを録音する能力を提供する。
第２の予め選択された回数のベルは、第１の予め選択された回数のベルと同じであってもなくてもよい。
このメッセージ録音能力により、発信者は選択的に、メッセージを録音するか、かけ直して貰いたい番号を提供するか、または発信者の制御下でメッセージを残すことなく電話を切ることができる。
プロンプトは、ＰＯＴＳ電話着呼を転送するコンピュータによって、またはＰＯＴＳ電話呼が転送されるＩＰベースの装置によって提供することができる。
プロンプトを提供しメッセージまたはかけ直して貰いたい番号を録音する機構は、当業者の知るところであるため、本明細書にはこれ以上詳しく述べない。
【００１５】
図２は、本発明によるＬＡＮ上のＩＰベースの装置からの電話呼をＰＯＴＳ回線に発信する方法２００のフローチャートである。
方法２００は、ＬＡＮと通信するＩＰベースの装置からＩＰベースの電話呼を開始すること（２０２）、ＬＡＮ上のコンピュータでＩＰベースの電話呼を受信すること（２０４）、ＩＰベースの電話呼をＰＯＴＳ電話呼に変換すること（２０６）、およびＰＯＴＳ回線を介してＰＯＴＳ電話呼をルーティングすること（２０８）を含むことができる。
ＩＰベースの電話呼を開始すること（２０２）は、ＶｏＩＰ電話呼を開始することを含むことができる。
ＩＰベースの電話呼を開始すること（２０２）は、宛先電話番号を入力すること、電話帳から番号を選択すること、またはデータベースにコンタクトすることを含むことができる。
ＬＡＮ上のコンピュータでＩＰベースの電話呼を受信すること（２０４）は、ＬＡＮおよびＰＯＴＳ回線に接続されたコンピュータでＩＰベースの電話呼を受信することを含むことができる。
【００１６】
ＰＯＴＳ電話呼をルーティングすること（２０８）は、地域通信事業者（ＬＥＣ）を通り、ＰＳＴＮを通り、別のＬＥＣを通り、そして最後に宛先電話にＰＯＴＳ電話呼をルーティングすることを含むことができる。
代替として、ＰＯＴＳ電話呼はＬＡＮ上の別のＩＰアドレスにルーティングしてもよい。
その他のＩＰアドレスは、ＬＡＮと通信するＩＰソフトフォンまたはＩＰ電話と関連したものであることができる。
ＰＯＴＳ電話呼は、ＬＡＮを介してゲートウェイを通り、別のＩＰベースのネットワークを通り、ＩＰソフトフォンまたはＩＰ電話に関連するＩＰアドレスにルーティングすることもできる。
【００１７】
図３は、本発明によるＩＰベースのネットワークを介してＩＰベースの電話呼を発受信する方法３００のフローチャートである。
方法３００は、ＩＰベースのネットワークを介してＩＰベースの電話呼を通信するように構成されたＩＰベースの装置を提供すること（３０２）、およびＩＰベースのネットワークを介してＩＰベースの装置と通信を行うように動作可能であり、ＰＯＴＳ電話回線と通信するコンピュータを提供すること（３０４）を含むことができる。
方法３００は、コンピュータでＰＯＴＳ電話着呼を受信したことに応答して、ＩＰベースのネットワークを介して、ＰＯＴＳ電話着呼をＩＰベースの装置に選択的に転送すること（３０６）をさらに含むことができる。
方法３００は、コンピュータでＩＰベースの電話呼を受信すること（３０８）、ＩＰベースの電話呼をＰＯＴＳ電話発呼に変換すること、およびＩＰベースの装置からのＩＰベースの電話呼が開始されたことに応答して、ＰＯＴＳ電話回線を通してＰＯＴＳ電話発呼をルーティングすることをさらに含むことができる。
方法３００と整合性のあるＩＰベースの通信は、ＶｏＩＰ通信、Ｈ．３２３に準拠する通信、ＳＩＰ、ＭＧＣＰ、ＳＧＣＰ、ＩＰＤＣ、ＲＴＰ等のＩＰベースのプロトコル、パケット化された「．ｗａｖ」ファイル、または他の任意のＩＰベースの音声パケット通信を含むことができる。
【００１８】
選択的に転送すること（３０６）は、予め選択された回数のベル分、ＰＯＴＳ電話着呼への応答を待つことをさらに含むことができる。
この特徴は、本発明により電話呼を転送する前に、電話受話器、または電話呼を受信し応答するように構成されたコンピュータでＰＯＴＳ着呼に応答する時間がユーザに与える。
選択的に転送すること（３０６）は、予め選択された回数のリングの後でもＰＯＴＳ電話着呼に応答がないままである場合、ＩＰベースの電話呼としてＩＰベースのネットワークを介して、ＰＯＴＳ電話着呼を、ＩＰベースの装置に対応する予め選択されたＩＰアドレスにルーティングすることをさらに含むことができる。
【００１９】
別の実施形態では、選択的に転送すること（３０６）は、ＩＰベースの装置に対応する予め選択されたＩＰアドレスにＰＯＴＳ電話着呼を転送する、あるいは転送することによって呼を完了しようとすることなく、単純に意図される受信者のためににメッセージを録音するという音声メニューを発信者に提供することをさらに含むことができる。
この特徴は、ＰＯＴＳ電話着呼の処理における柔軟性を発信者に与える。
【００２０】
さらに別の実施形態では、選択的に転送すること（３０６）は、ＰＯＴＳ着呼を予め選択されたＩＰアドレスを転送すること、あるいは発信者の識別情報（発信者ＩＤ）に基づいてメッセージを録音するという音声プロンプトを発信者に提供することをさらに含むことができる。
この特徴により、受信者は、発信者ＩＤを使用して発信者が誰であるかに基づいて、ＰＯＴＳ着呼の処理の仕方を予め選択することができる。
【００２１】
さらに別の実施形態では、選択的に転送すること（３０６）は、第２の予め選択された回数のベルの後でもＩＰベースの装置がＩＰベースの電話呼に応答しない場合、メッセージを録音するという音声プロンプトを提供すること、および発信者が望む場合はメッセージを録音することをさらに含むことができる。
この特徴は、呼の意図される受信者が、呼をＩＰベースの装置に転送した後であっても応答できない場合にメッセージを録音する能力を提供する。
上に述べたように、第２の予め選択された回数のベルは、第１の予め選択された回数のベルと同じであってもなくてもよい。
ＩＰベースの電話呼を開始することは、宛先電話番号を入力すること、または電話帳から番号を選択すること、あるいはデータベースにコンタクトすることを含むことができる。
【００２２】
ＰＯＴＳ電話発呼をルーティングすることは、ＬＥＣを通り、ＰＳＴＮを通り、別のＬＥＣを通り、そして最後に宛先電話にルーティングすることを含むことができる。
代替として、ＰＯＴＳ電話呼は、ＬＡＮ上の別のＩＰアドレスにルーティングすることができる。
その他のＩＰアドレスは、ＬＡＮと通信するＩＰソフトフォンまたはＩＰ電話と関連したものであることができる。
ＰＯＴＳ電話呼は、ＬＡＮを介してゲートウェイを通り、別のＩＰベースのネットワークを通り、ＩＰソフトフォンまたはＩＰ電話に関連するＩＰアドレスにルーティングすることもできる。
【００２３】
図４は、本発明によりＩＰベースのネットワークを介してＩＰベースの電話呼を発受信するシステム４００のブロック図である。
システム４００は、ＩＰベースのネットワーク４０４を介してＩＰベースで通信するように構成されたＩＰベースの装置４０２と、ＰＯＴＳ回線４０８と通信するように構成されるとともに、ＩＰベースのネットワーク４０４を介してＩＰベースの装置４０２とＩＰベースで通信するように構成されたコンピュータ４０６とを備えることができる。
システム４００は、コンピュータ４０６およびＰＯＴＳ回線４０８を使用してＩＰベースの電話呼を送受信するようにさらに構成されたＩＰベースの装置４０２をさらに備えることができる。
システム４００は、コンピュータ４０６およびＰＯＴＳ回線４０８と通信してＰＯＴＳ着呼に応答する電話機４１０をさらに備えることができる。
【００２４】
ＰＯＴＳ回線４０８はＰＯＴＳ４１２に接続することができ、そしてＰＯＴＳ４１２は、地域通信事業者（ＬＥＣ）およびＰＳＴＮ等、明確にするために図示しない他の電話システムおよびネットワークに接続することができる。
システム４００と整合性のあるＩＰベースの通信は、ＶｏＩＰ通信、Ｈ．３２３に準拠する通信、ＳＩＰ、ＭＧＣＰ、ＳＧＣＰ、ＩＰＤＣ、ＲＴＰ等のＩＰベースのプロトコル、パケット化された「．ｗａｖ」ファイル、または他の任意のＩＰベースの音声パケット通信を含むことができる。
【００２５】
システム４００は、第１の予め選択された回数のベルの後でもＰＯＴＳ電話着呼への応答がないままである場合、ＰＯＴＳ着呼を、予め選択されたＩＰアドレスを有するＩＰベースの装置４０２に転送するように構成することが可能である。
これにより、ＰＯＴＳ着呼に応答する時間枠（第１の予め選択された回数のベルに等しい）がユーザに与えられる。
第１の予め選択された回数のリングの後でもＰＯＴＳ着呼への応答がないままである場合、ＰＯＴＳ着呼を、ＩＰベースのネットワーク４０４上の予め選択されたアドレスのＩＰベースの装置４０２に転送することができる。
システム４００は、第２の予め選択された回数のベルの後でもＩＰベースの装置４０２がＩＰベースの電話呼に応答しない場合、メッセージを録音するというプロンプトを提供し、発信者が望む場合はメッセージを録音するようにさらに構成することが可能である。
したがって、本発明の一実施形態によれば、発信者は、呼の意図される受信者のためにメッセージを録音するという選択肢を有する。
呼転送特徴および音声メッセージング特徴の機械化は、当業者の知るところであるため、本明細書ではこれ以上詳しく説明しない。
【００２６】
ＩＰベースの装置４０２は、図４に示すようなラップトップコンピュータまたは個人情報端末（ＰＤＡ）４０２Ａであることができる。
ＩＰベースの装置４０２は、ＩＰベースの電話、ソフトウェアを使用してＩＰベースの電話として機能するように構成されたコンピュータ、ＩＰベースのネットワークに接続されるように構成され、音声パケットを送受信することが可能であり、またユーザから音声を送受信することが可能な他の任意のＩＰベースの装置であってもよい。
【００２７】
ＩＰベースのネットワーク４０４は、ＬＡＮ、広域ネットワーク、私設インターネット、公衆インターネット、または本発明に整合性のある他の任意のＩＰベースのネットワークであることができる。
さらに、ＩＰベースのネットワーク４０４は、ＩＰベースのワイヤレスネットワーク、限定ではなく例としては、ＩＥＥＥ８０２．１１に準拠するネットワーク、Ｂｌｕｅｔｏｏｔｈ（登録商標）に準拠するネットワーク、または本発明と整合性のある他の任意のＩＰベースのワイヤレスネットワークであることができる。
【００２８】
図５は、本発明による１つまたは複数の方法１００、２００、３００を実施するように構成されたコンピュータプログラム５０２を格納するコンピュータ可読媒体５００のブロック図である。
コンピュータ可読媒体５００は、コンピュータプログラム５０２の格納に適した任意の記憶媒体、たとえば、コンパクトディスク読み出し専用メモリ（ＣＤ−ＲＯＭ）、デジタル多用途ディスク読み出し専用メモリ（ＤＶＤ−ＲＯＭ）、Ｚｉｐ（登録商標）ディスク、メモリースティック（登録商標）、ＳＤカード（登録商標）、フロッピー（登録商標）ディスク、読み出し専用メモリ（ＲＯＭ）、プログラム可能ＲＯＭ（ＰＲＯＭ）、電子的に消去可能なＰＲＯＭ（ＥＥＰＲＯＭ）、不揮発性の、電気的にブロック単位で消去可能プログラム可能な読み出し専用メモリ（フラッシュ）、またはコンピュータプログラム５０２の格納に適した任意の媒体であることができる。
コンピュータプログラム５０２を格納するフラッシュメモリは多くの形態、たとえば、メモリースティック（登録商標）またはＳＤメモリカード（登録商標）の形態をとることができるが、これらに限定されない。
コンピュータ可読媒体５００は、ネットワークを介してソフトウェアをダウンロードするように構成された、サーバ上の大容量記憶装置であってもよい。
コンピュータプログラム５０２は、ＩＰベースの装置４０２のオペレーティングシステムに埋め込まれるファームウェア、ダウンロード可能なアプレットもしくはプラグインおよび構成可能なコンピュータプログラム、またはＩＰベースの装置４０２上で実行されるデバイスドライバであってもよい。
特定種類のコンピュータ可読媒体５００およびコンピュータプログラム５０２の形態は、本発明にとって重要なことではない。
【００２９】
上記参照した構成は本発明の原理を適用を示すためのものであることを理解されたい。
本発明の精神および範囲から逸脱することなく、多くの変更および代替の構成を考案することが可能である。
本発明を図面で示し本発明の例示的な実施形態と併せて上述してきたが、特許請求の範囲に記載の本発明の原理および概念から逸脱することなく、多くの変更を実施しうることが当業者には明らかであろう。
【図面の簡単な説明】
【００３０】
【図１】本発明によるＩＰベースのＬＡＮに接続されたインターネットプロトコル（ＩＰ）ベースの装置でＰＯＴＳ電話呼を受信する方法のフローチャートである。
【図２】本発明によるＬＡＮ上のインターネットプロトコル（ＩＰ）ベースの装置からの電話呼をＰＯＴＳ回線に発信する方法のフローチャートである。
【図３】本発明によるＩＰベースのネットワークを介してＩＰベースの電話呼を発受信する方法のフローチャートである。
【図４】本発明によるＩＰベースのネットワークを介してＩＰベースの電話呼を発受信するシステムのブロック図である。
【図５】本発明による方法を実施するように構成されたコンピュータプログラムを格納するコンピュータ媒体のブロック図である。
【符号の説明】
【００３１】
４０２・・・ＩＰベースの装置：ラップトップ、
４０２Ａ・・・ＩＰベースの装置：ＰＤＡ、
４０４・・・ＩＰベースのネットワーク、
４０６・・・コンピュータ、
４１０・・・電話機、
５００・・・コンピュータ媒体、
５０２・・・コンピュータプログラム、
【図１】
2004260802.tif 000003
【図２】
2004260802.tif 000004
【図３】
2004260802.tif 000005
【図４】
2004260802.tif 000006
【図５】
2004260802.tif 000007